(57)【要約】      （修正有）【課題】身体への装着又は脱衣が容易で、簡易的でありながら感染源からの感染を確実に防ぐと共に、廃棄時には表面に付着したウィルス等の汚染物質が周囲に飛散することを防いで確実に二次感染を防ぎ、しかも、広告や宣伝媒体としても活用でき得る感染症防護服を提供する。【解決手段】防水性、非透過性などの特性を有する素材で形成したガウン形態の防護服本体１の内側前方位置に廃棄時の防護服本体１を収納するための収納袋部１０を取付ける。この収納袋部１０の内面と外面の双方に結束バンド１３、１４を取付けた感染症防護服である。【選択図】図２
0003143595.tif 000002
【実用新案登録請求の範囲】
【請求項１】
防水性、非透過性などの特性を有する素材で形成したガウン形態の防護服本体の内側位置に廃棄時の防護服本体を収納するための収納袋部を取付け、この収納袋部の内面と外面の双方に結束バンドを取付けたことを特徴とする感染症防護服。
【請求項２】
前記防護服本体の首元位置の前方端部に両面接着テープを取付けた請求項１又は２に記載の感染症防護服。
【請求項３】
請求項１における結束バンドは、環状のゴム紐であり、前記収納袋部の内面底部と外面底部に取付けた感染症防護服。
【請求項４】
前記防護服本体の表面の適宜位置に、企業広告などを入れる広告・宣伝媒体を表示した表示部を施した請求項１乃至３の何れか１項に記載の感染症防護服。
【考案の詳細な説明】
【技術分野】
【０００１】
本考案は、主に、患者などの感染源と直接接触することの少ない医療事務、清掃員などによって使用される新型インフルエンザ、鳥インフルエンザなどの感染症対策用防護服であって、特に、ウィルス、バクテリアなどの感染から人体を保護するためのディスポーザブルタイプの感染症防護服に関する。
【背景技術】
【０００２】
一般に防護服には、化学薬品、粉塵や有害薬品などの環境下で装着するものと、インフルエンザなどの感染症対策用の防護服とがある。後者の感染症防護服は、ウィルスなどの感染から人体を守るための防護服であるため、ウィルス、バクテリアなどの微細病原菌からの二次感染を完全に防止し、汚染拡大防止のための防護服であることが必要である。
この場合、感染源と直接接触することのない、一般的にノンメディカルスタッフと呼ばれる医療事務、清掃員などための防護服として、着脱が容易で低コストの簡易的な感染症防護服がある。
【０００３】
従来より、提案されている一般的な防護服としては、例えば、特許文献１に示された防護服がある。同文献１は、農薬、粉塵または放射性物質などが存在する条件下で使用される防護服である。この防護服は、頭部収容部と上半身収容部と腕収容部とを有し、上方から上半身を覆うように着衣するものである。
【０００４】
また、特許文献２には、医療行為で着用される防護ガウンが開示されている。この防護ガウンは、前身頃と右側身頃とを有し、背開きになるように構成されたものである。着用者は、この防護ガウンを引張ることで脱衣し、その結果、感染患者や感染物に触れた後の手を顔に近づけることの無いようにしようとしたものである。
【０００５】
【特許文献１】実開昭６３−１８９２６６号公報
【特許文献２】特許第３６８９８６４号公報
【考案の開示】
【考案が解決しようとする課題】
【０００６】
しかしながら、特許文献１は、頭部をはじめ人体を密封状態に被覆して、防護服内に浄化空気を供給するものであるため、感染症防護服には不適なものである。また、この防護服は、ディスポーザブルで簡易的なものでもなく、廃棄時において、生地表面にウィルスが付着した使い捨ての防護服に対して、感染の拡大を配慮したものではない。
【０００７】
また、特許文献２は、着用者への感染の危険性を避けるようとはしているものの、同文献１と同様に廃棄時のことが考慮されていない。この防護ガウンは、脱衣後にそのまま廃棄すると、生地表面のウィルス等が周囲に飛散して感染に至る危険性が極めて高くなっている。
【０００８】
本考案は、上記の実情に鑑みて、鋭意検討の結果、開発に至ったものであり、その目的とするところは、身体への装着又は脱衣が容易で、簡易的でありながら感染源からの感染を確実に防ぐと共に、廃棄時には表面に付着したウィルス等の汚染物質が周囲に飛散することを防いで確実に二次感染を防ぎ、しかも、広告や宣伝媒体としても活用でき得る感染症防護服を提供することにある。
【課題を解決するための手段】
【０００９】
上記目的を達成するために、請求項１に係る考案は、防水性、非透過性などの特性を有する素材で形成したガウン形態の防護服本体の内側位置に廃棄時の防護服本体を収納するための収納袋部を取付け、この収納袋部の内面と外面の双方に結束バンドを取付けた感染症防護服である。
【００１０】
請求項２に係る考案は、防護服本体１の首元位置の前方端部に両面接着テープを取付けた感染症防護服である。
【００１１】
請求項３に係る考案は、結束バンドは、環状のゴム紐であり、収納袋部の内面底部と外面底部に取付けた感染症防護服である。
【００１２】
請求項４に係る考案は、防護服本体の表面の適宜位置に、企業広告などを入れる広告・宣伝媒体を表示した表示部を施した感染症防護服である。
【考案の効果】
【００１３】
請求項１に係る考案によると、身体への装着又は脱衣が容易で、簡易的でありながら感染源からの感染を確実に防ぎ、廃棄時には表面に付着しているおそれのあるウィルス等の汚染物質を周囲に飛散することなく廃棄して二次感染による汚染の拡大を確実に防止できる感染症防護服である。
【００１４】
請求項２に係る考案によると、防護服の首元部位を両面接着テープにより塞いだ状態で装着できるので、首元からのウィルスの侵入を確実に防ぐことが可能となり、着用者の身体にフィットした位置で装着でき、しかも首元が安定するため、着用時の装着感を高めることができる感染症防護服である。
【００１５】
請求項３に係る考案によると、防護服の裏側を表にしながら脱衣して、そのまま収納袋部に収納してゴムバンドで結束でき、ウィルスなどが付着したおそれのある表側に触れることなく廃棄することができ、廃棄時に極めて便利な感染症防護服である。
【００１６】
請求項４に係る考案によると、防護服に企業広告などを入れることで広告宣伝機能を発揮させることもできる感染症防護服である。
【考案を実施するための最良の形態】
【００１７】
本考案における感染症防護服の好ましい実施形態を、図面に基づいて説明する。
図１は、感染症防護服を着用者が装着した状態を示す概略正面図である。
図１において、防護服本体１は、ポリオレフィン、ポリエチレン、ポリプロピレン等の適宜の合成樹脂で不織布状に成形され、ラミネート加工などを施して、防水性、非透過性並びに撥水性などの特性を有する素材で形成されている。
【００１８】
また、この防護服本体１は、胴部２と腕部３とを有するガウン形態を呈している。
胴部２は、背部４、右前部５、左前部６からなり、防護服本体１は、図２に示すように、背部４に対して右前部５と左前部６とが前開きの態様となっている。この胴部２には、首元部７から左前部６の端部６ａにかけて縁取り部８が設けられている。この縁取り部８には着色するようにしてもよい。
また、胴部２において、防護服本体１の内側位置である右前部５の内側には、収納袋部１０が取付けられている。
【００１９】
収納袋部１０は、防護服本体１と同一材料により不織布状に形成され、かつ、同一の加工が施されている。図３に示すように、収納袋部１０は、上方に開口部１１を有し、この上方の一辺側が延長されて折返し片１２が形成され、また、収納袋部１０の内面側と外面側の双方には環状のゴム紐である結束バンド１３、１４が取付けられている。結束バンド１３又は１４は、収納袋部１０の内面底部１５と外面底部１６の中央付近にそれぞれ設けられ、後述するように、防護服本体１を収納袋部１０に収納した後に、収納袋部１０の外周を結束できるようになっている。
【００２０】
収納袋部１０は、折返し片１２と対向する上方縁部位の固着部１７において防護服本体１の内側に固着され、この固着部１７の他方側である結束バンド１３取付け側は自由な状態になっている。このため、収納袋部１０は、内面底部１５を折返しの中心として裏返しにでき、この場合にも袋状の状態を維持し、かつ、裏返しにより表面側に表れた外面底部１６の中央付近に結束バンド１４が露出した状態になる。
【００２１】
図２に示すように、右前部５の端部５ａ側には適宜の長さの前紐２０が取付けられる。図において、前紐２０は２本としているが、特にその数に拘ることはない。
一方、左前部６の内側には環状紐２１が取付けられる。環状紐２１は、右前部５を左前部６内に納めた状態で前紐２０が対応する位置に設けられる。このため、前紐２０は、環状紐２１に結びつけることができるようになっている。
【００２２】
また、左前部６の端部６ａの首元付近には、両面接着テープ２２が取付けられている。左前部６は、この両面接着テープ２２により、右前部５に接着可能になっている。
【００２３】
更に、左前部６の表面の適宜位置には、表示部２３が設けられている。本実施形態において、表示部２３は、左前部６の表面側に取付けたポケット部２４の前面２４ａに施され、表示部２３は、企業広告などを入れる広告・宣伝媒体を表示している。
【００２４】
一方、背部４においては、腰紐２５が設けられる。腰紐２５は、長尺状に設けられ、中央付近が背部４の所定位置に取付けられる。
左右の腕部３は、着用者が腕を装入可能に形成され、この腕部３の袖口はゴム付き袖口２６となっている。また、前述した首元部７にはゴム付き締付け部２７が設けられている。
【００２５】
図１において、キャップ３０、ゴーグル３１、マスク３２、手袋３３、シューズカバー３４は、防護服本体１と共に身体に装着するための防護用品３５である。図示しないが、手袋３３は、インナー手袋とアウター手袋とからなり、また、シューズカバー３４は、インナーシューズカバーとアウターシューズカバーとからなっている。
【００２６】
続いて、本考案における上記実施形態の感染症防護服の装着及び脱衣の一例について、防護用品の装着・脱衣と共に説明する。
先ず、着用者は、図示しないインナーとシューズとを適宜着用し、シューズの上からインナーシューズカバーを装着し、また、インナー手袋、マスク３２、キャップ３０、ゴーグル３１を身体に装着する。
【００２７】
次に、着用者は、防護服本体１の右前部５、左前部６を広げ、左右の腕部３に腕を通し、前紐２０を環状紐２１に結びつけて、右前部５の端部５ａ側を左前部６の内側に位置決めする。腕部３に腕を通したときには、着用者の袖口がゴム付き袖口２６によって締付けられ、ウィルスの浸入が防がれる。次いで、首元部７の位置を着用者の首元に合わせ、両面接着テープ２２により右前部５と左前部６の上部とを接着する。このとき、ゴム付き締付け部２７により首元を締付けた状態にし、両面接着テープ２２で接着していることで首元からのウィルスの浸入が防がれる。
【００２８】
着用者は、この状態で腰紐２５を前方まで回し、この腰紐２５同士を結びつける。最後にアウター手袋を装着し、また、必要に応じてアウターシューズカバーを装着する。
このように、防護服本体１がガウン形態であることにより、着用者は、衣類を脱ぐことなく簡単にこの防護服本体１を装着することができる。
【００２９】
一方、防護服本体１を脱衣する場合には、着用者は、先ず、防護服本体１、及び、防護用品３５に対してアルコール液を噴霧して消毒をおこなった後に、アウター手袋、アウターシューズカバーを内側に丸め込むようにしながら外し、図示しない感染症廃棄物用のゴミ袋に廃棄する。
【００３０】
次いで、着用者は、両面接着テープ２２を剥がして右前部５と左前部６との接着部分を離間させると共に、腰紐２５を緩めるか、或は、図示しないはさみで切断して前面側を開放し、更に、前紐２０を緩めるか、或は、はさみで切断して右前部５の端部５ａ側と左前部６の内側とを開放する。
【００３１】
着用者は、この状態で防護服本体１の外面に手が触れないように内側をつかみながら防護服本体１を裏返すようにして腕部３から片腕ずつ抜き、防護服本体１の内側を表面側にして外側を包み込むようにして脱ぐと共に、収納袋部１０の内方側にこの包み込み状態の防護服本体１を収納する。
次に、折返し片１２を折り返して収納袋部１０の開口部分を覆った状態にして、結束バンド１３によって収納袋部１０の外方より結束し、図４の状態に包装する。
【００３２】
このとき、収納袋部１０は、固着部１７の他方側が自由な状態で取付けられていることにより、この収納袋部１０を裏返して内部に防護服本体１を収納することもできる。すなわち、着用者は、防護服本体１を上記と同様にして脱いだ後、収納袋部１０の内側に手を入れ、収納袋部１０を裏返しながら小さく包み込んだ防護服本体１に被せることにより、防護服本体１を収納袋部１０に押し込みながら収納する必要がなく、防護服本体１への手の接触を最小限に抑えながら収納できる。
【００３３】
しかも、結束バンド１３、１４を収納袋部１０の内面底部１５と外面底部１６の双方に設けていることで、収納袋部１０を裏返した場合であっても、それまで内面側にあった結束バンド１４が外面側になり、更には、折返し片１２を前記の場合と逆方向に折り返すことで開口部１１分を覆った状態で結束バンド１４で結束可能となる。このように、着用者は、収納時に収納袋部１０の表面と裏面とを全く気にすることなくリバーシブルに利用でき、廃棄時の収納に極めて便利である。
【００３４】
上述したように、着用者は、防護服本体１の表面側に触れることなく脱衣できると共に、感染部分を内側に包み込んだ状態で収納袋部１０に収納して結束バンド１３又は１４で固定しているので、周囲にウィルス等の汚染物質が飛散することが防がれ、二次感染が防止される。
なお、続いて、着用者は、防護服本体１の脱衣後に、インナー手袋、キャップ３０、ゴーグル３１、マスク３２を外し、感染症廃棄物用のゴミ袋に廃棄すればよい。
【図面の簡単な説明】
【００３５】
【図１】本考案における感染症防護服の装着状態の一例を示した概略正面図である。
【図２】図１の感染症防護服の概略正面図である。
【図３】収納袋部１０を示した概略図である。（ａ）は、収納袋部１０の概略斜視図である。（ｂ）は、収納袋部１０の概略断面図である。（ｃ）は、収納袋部１０に防護服本体１を収納した状態を示した断面図である。
【図４】収納袋部１０の拡大正面図である。
【符号の説明】
【００３６】
１  防護服本体
７  首元部
１０  収納袋部
１３、１４  結束バンド
１５  内面底部
１６  外面底部
２２  両面接着テープ
２３  表示部
【図１】
0003143595.tif 000003
【図２】
0003143595.tif 000004
【図３】
0003143595.tif 000005
【図４】
0003143595.tif 000006
【手続補正書】
【提出日】平成20年5月28日(2008.5.28)
【手続補正１】
【補正対象書類名】実用新案登録請求の範囲
【補正対象項目名】請求項２
【補正方法】変更
【補正の内容】
【請求項２】
前記防護服本体の首元位置の前方端部に両面接着テープを取付けた請求項１に記載の感染症防護服。